(57)【要約】 【課題】  遮水壁の構築工事における残土発生量を低減させるとともに、遮水壁の構築工事における工期の短縮を図ることができる遮水壁の構築方法を提供することを目的としている。【解決手段】  地盤Ｇ内に遮水シート３からなる遮水壁を構築する遮水壁の構築方法において、地盤Ｇを攪拌しつつ添加材を混入し、流動体状の地盤攪拌体２を造成する工程と、地盤攪拌体２が固化する前に、地盤攪拌体２内にロール状に巻かれた遮水シート３を挿入する工程と、ロール状の遮水シート３を地盤攪拌体２内で展張させる工程とを備える。【選択図】      図１０
2006283474.tif 000002
【特許請求の範囲】
【請求項１】
地盤内に遮水シートからなる遮水壁を構築する遮水壁の構築方法において、
前記地盤を現位置にて所定深さで所定長さ連続的に攪拌して、面状の地盤攪拌体を造成する工程と、
前記地盤攪拌体内にロール状に巻かれた遮水シートを挿入する工程と、
該ロール状の遮水シートを前記地盤攪拌体内で展張させる工程とを備えることを特徴とする遮水壁の構築方法。
【請求項２】
請求項１記載の遮水壁の構築方法において、
前記遮水シートは、一方の側端部に芯材あるいは筒材が付設され、他方の側端部に筒材あるいは芯材が付設され、一方の側端部の芯材あるいは筒材に遮水シートが巻回されてロール状とされ、他方の側端部を前記地盤攪拌体内で固定して、前記ロール状の遮水シートを移動させつつ展張していくことを特徴とする遮水壁の構築方法。
【請求項３】
請求項２記載の遮水壁の構築方法において、
前記遮水シートの一方の側端部には、該遮水シート側端部によって外周面が覆われるように包み込まれた芯材が前記遮水シート側端に沿って設けられ、前記遮水シートの他方の側端部には、軸方向に延在するスリットが形成されているとともに該遮水シート側端部によって外周面および内周面がそれぞれ覆われるように包み込まれた筒材が前記遮水シート側端に沿って設けられ、
前記遮水シートを挿入する工程のとき、前記地盤攪拌体内に先行して展張された遮水シートの前記芯材と、前記地盤攪拌体内に後行して挿入された遮水シートの前記筒材とを嵌合させることで、先行して展張された前記遮水シートと後行して挿入された前記遮水シートとを継手することを特徴とする遮水壁の構築方法。
【請求項４】
請求項２記載の遮水壁の構築方法において、
前記遮水シートの一方の側端部には、軸方向に延在するスリットが形成されるとともに該遮水シート側端部によって外周面及び内周面がそれぞれ覆われるように包み込まれた筒材が前記遮水シート側端に沿って設けられ、前記遮水シートの他方の側端部には、該遮水シート側端部によって外周面が覆われるように包み込まれた芯材が前記遮水シート側端に沿って設けられ、
前記遮水シートを挿入する工程のとき、前記地盤攪拌体内に先行して展張された遮水シートの前記筒材と、前記地盤攪拌体内に後行して挿入された遮水シートの前記芯材とを嵌合させることで、先行して展張された前記遮水シートと後行して挿入された前記遮水シートとを継手することを特徴とする遮水壁の構築方法。
【請求項５】
請求項３または４記載の遮水壁の構築方法において、
前記芯材と前記筒材との間の空隙に充填材を充填する工程を備えることを特徴とする遮水壁の構築方法。
【請求項６】
請求項１から５のいずれか記載の遮水壁の構築方法において、
前記地盤攪拌体の造成にあたり、前記遮水シート展張前は流動性を有し、前記遮水シート展張後は流動性を失う状態となるように地盤に添加材を混入して攪拌混合することを特徴とする遮水壁の構築方法。
【請求項７】
請求項１から５のいずれか記載の遮水壁の構築方法において、
前記地盤攪拌体の造成にあたり、地盤攪拌体内への遮水シート挿入時にテーブルフロー値で１３０ｍｍ以上２５０ｍｍ以下であるように地盤に添加材を混入して攪拌混合することを特徴とする遮水壁の構築方法。
【請求項８】
請求項１から７のいずれか記載の遮水壁の構築方法において、
地盤を現位置にて所定深さで所定長さ連続的に攪拌するにあたり、ベースマシンに取付けたフレームの上部の駆動輪と下部の従動輪との間で攪拌羽根を有するエンドレスチェーンを巻き掛けた地盤攪拌機を用い、前記チェーンを周回駆動させつつ前記フレームを地盤内で深さと長さ方向に移動させて前記地盤を攪拌することを特徴とする遮水壁の構築方法。
【請求項９】
請求項２から７のいずれか記載の遮水壁の構築方法において、
前記ロール状の遮水シートを地盤攪拌体内で展張するにあたり、その下端に前記ロール状の遮水シートの芯材の下端を保持する受け部材と、その上部に前記ロール状の遮水シートの芯材を着脱自在に把持する把持機構と、を有する遮水シート保持支柱からなる上下動可能な遮水シート保持装置を用い、前記ロール状の遮水シートの芯材あるいは筒材を前記保持装置に保持して前記地盤攪拌体内に挿入することを特徴とする遮水壁の構築方法。
【請求項１０】
請求項２から７のいずれか、または請求項９に記載の遮水壁の構築方法において地盤の攪拌に用いる地盤攪拌機であって、
ベースマシンと、ベースマシンの可動アームに取り付けたフレームとからなり、前記フレームはその上部に駆動輪と下部に従動輪を有し、前記駆動輪と従動輪との間で攪拌羽根を有するエンドレスチェーンが周回可能に巻き掛けられていることを特徴とする地盤攪拌機。
【請求項１１】
請求項２から８のいずれか記載の遮水壁の構築方法において遮水シートを地盤攪拌体内に挿入して展張するときに用いる遮水シート保持装置であって、
前記遮水シート保持装置は、ベースマシンに立設したマスト部に上下動可能に取付けられた遮水シート保持支柱と、前記遮水シート保持支柱の下端に前記ロール状の遮水シートの芯材あるいは筒材の下端を保持する受け部材と、前記ロール状の遮水シートの芯材あるいは筒材の上部を着脱自在に把持する把持機構と、からなることを特徴とする遮水シート保持装置。
【発明の詳細な説明】
【技術分野】
【０００１】
本発明は、地盤に遮水シートが配置された遮水壁の構築方法、遮水壁を構築するために地盤を攪拌するときに用いる地盤攪拌機、及び遮水壁を構築するためにロール状の遮水シートを地盤攪拌体内に挿入し展張するときに用いる遮水シート保持装置に関する。
【背景技術】
【０００２】
産業廃棄物の最終処分場などでは、汚染物の流出を防止するために遮水壁で最終処分場を囲み、外部と仕切る必要がある。遮水壁としては、透水性の高い地盤や地耐力の低い地盤の場合、簡単且つ高い水密性を確保できる高密度ポリエチレン製の遮水シートを使用した遮水シート工法が採用される場合が多い。
【０００３】
従来、遮水シートからなる遮水壁を地盤内に鉛直に構築する方法として、地盤を掘削して溝を形成するとともに、その溝内に崩壊防止のための泥水やソイルセメントを流し込み、泥水等で満たされた溝内に遮水シートを重機によって鉛直に挿入させる方法がある。
【０００４】
また、上記した方法では、シート一枚当りの有効幅が短いことに起因し、継手施工箇所数が多くなり、施工費用が高くなるという問題があるため、近年では、長尺の遮水シートを溝内に設置することができる方法が提案されている。これは、地盤を掘削して溝を形成し、その溝内に、巻き付け軸に巻き付けた遮水シートを挿入するとともに当該遮水シートの先端部を固定し、遮水シートを繰り出しつつ巻き付け軸を溝に沿って移動させることで遮水シートを展張する方法である。また、複数の遮水シートを連続的に設置する際に、遮水シート同士を継手する構成としては、一方の遮水シートの端部に、溝の深さ方向に延在する棒状の芯材が付設され、他方の遮水シートの端部に、断面形状Ｃ形状の筒材が付設され、芯材と筒材とを嵌合させる構成となっている（例えば、特許文献１参照。）。
【特許文献１】特公平４−３３３２５号公報
【発明の開示】
【発明が解決しようとする課題】
【０００５】
しかしながら、上記した従来の遮水壁の構築方法では、遮水シートを設置する箇所の地盤を溝状に掘削し、その後崩壊防止のための泥水等を流し込むため、掘削の際に残土が多量に発生するという問題があり、また、掘削を行う工程、および泥水等を流し込む工程の２工程となり、工期が長くなるという問題が存在する。
【０００６】
また、上記した従来の遮水壁の構築方法では、継手構造に使用される芯材や筒材が、柔らかい材質のものであると屈曲して嵌合させ難くなるため、相当の硬さを有するものからなっている。また、芯材の外径と筒材の内径とを略同一にして余裕がない嵌合部にすると、嵌合させ難くなるため、芯材の外径よりも相当に大きい内径の筒材を使用し、嵌合部に余裕を持たせる必要がある。よって、芯材外周面と筒材内周面とがそれぞれ硬い材質からなるため、Ｃ形状の筒材の開いた部分（スリット部分）が芯材で塞がれたとしても、硬いもの同士の当接では継手部全長に亘って密着性を確保することは難しく、継手箇所の止水性能が低くなるという問題が生じる。
【０００７】
本発明は上記した問題が考慮されたものであり、遮水壁の構築工事における残土発生量を低減させるとともに、遮水壁の構築工事における工期の短縮を図ることができる遮水壁の構築方法を提供することを目的としている。
また、遮水シート同士を容易に継手させることができるとともに、遮水シートの継手箇所の止水性能を向上させることができる遮水壁の構築方法を提供することを目的としている。
さらに遮水壁の構築に用いる効率的に攪拌できる地盤攪拌機及び簡便にロール状遮水シートを保持できる遮水シート保持装置を提供することを目的にしている。
【課題を解決するための手段】
【０００８】
請求項１記載の遮水構造の構築方法は、地盤内に遮水シートからなる遮水壁を構築する遮水壁の構築方法において、前記地盤を現位置にて所定深さで所定長さ連続的に攪拌して、面状の地盤攪拌体を造成する工程と、前記地盤攪拌体内にロール状に巻かれた遮水シートを挿入する工程と、該ロール状の遮水シートを前記地盤攪拌体内で展張させる工程とを備えることを特徴としている。
【０００９】
このような特徴により、遮水シートが挿入される地盤攪拌体の造成が１工程で済み、工程短縮が図れるとともに、残土発生が抑えられる。
【００１０】
また、請求項２記載の遮水構造の構築方法は、請求項１記載の遮水壁の構築方法において、前記遮水シートは、一方の側端部に芯材あるいは筒材が付設され、他方の側端部に筒材あるいは芯材が付設され、一方の側端部の芯材あるいは筒材に遮水シートが巻回されてロール状とされ、他方の側端部を前記地盤攪拌体内で固定して、前記ロール状の遮水シートを移動させつつ展張していくことを特徴としている。
【００１１】
このような特徴により、遮水シートの展張が容易になる。
【００１２】
また、請求項３記載の遮水構造の構築方法は、請求項２記載の遮水壁の構築方法において、前記遮水シートの一方の側端部には、該遮水シート側端部によって外周面が覆われるように包み込まれた芯材が前記遮水シート側端に沿って設けられ、前記遮水シートの他方の側端部には、軸方向に延在するスリットが形成されているとともに該遮水シート側端部によって外周面および内周面がそれぞれ覆われるように包み込まれた筒材が前記遮水シート側端に沿って設けられ、前記遮水シートを挿入する工程のとき、前記地盤攪拌体内に先行して展張された遮水シートの前記芯材と、前記地盤攪拌体内に後行して挿入された遮水シートの前記筒材とを嵌合させることで、先行して展張された前記遮水シートと後行して挿入された前記遮水シートとを継手することを特徴としている。
【００１３】
また、請求項４記載の遮水構造の構築方法は、請求項２記載の遮水壁の構築方法において、前記遮水シートの一方の側端部には、軸方向に延在するスリットが形成されるとともに該遮水シート側端部によって外周面及び内周面がそれぞれ覆われるように包み込まれた筒材が前記遮水シート側端に沿って設けられ、前記遮水シートの他方の側端部には、該遮水シート側端部によって外周面が覆われるように包み込まれた芯材が前記遮水シート側端に沿って設けられ、前記遮水シートを挿入する工程のとき、前記地盤攪拌体内に先行して展張された遮水シートの前記筒材と、前記地盤攪拌体内に後行して挿入された遮水シートの前記芯材とを嵌合させることで、先行して展張された前記遮水シートと後行して挿入された前記遮水シートとを継手することを特徴としている。
【００１４】
このような特徴により、筒材の内周面と芯材の外周面とが、芯材や筒材を包み込む遮水シートを介して全長に亘って当接されることとなり、遮水シートの弾力性によって両部材の密着性が向上する。
【００１５】
また、請求項５記載の遮水構造の構築方法は、請求項３または４記載の遮水壁の構築方法において、前記芯材と前記筒材との間の空隙に充填材を充填する工程を備えることを特徴としている。
【００１６】
このような特徴により、筒材と芯材とで構成された継手箇所の止水性能は、更に向上する。
【００１７】
また、請求項６記載の遮水構造の構築方法は、請求項１から５のいずれか記載の遮水壁の構築方法において、前記地盤攪拌体の造成にあたり、前記遮水シート展張前は流動性を有し、前記遮水シート展張後は流動性を失う状態となるように地盤に添加材を混入して攪拌混合することを特徴としている。
【００１８】
このような特徴により、遮水シートが展張し易く、展張後には安定的に保持される。
【００１９】
また、請求項７記載の遮水構造の構築方法は、請求項１から５のいずれか記載の遮水壁の構築方法において、前記地盤攪拌体の造成にあたり、地盤攪拌体内への遮水シート挿入時にテーブルフロー値で１３０ｍｍ以上２５０ｍｍ以下であるように地盤に添加材を混入して攪拌混合することを特徴としている。
【００２０】
このような特徴により、遮水シートが、よりスムーズに展張できる。
【００２１】
また、請求項８記載の遮水構造の構築方法は、請求項１から７のいずれか記載の遮水壁の構築方法において、地盤を現位置にて所定深さで所定長さ連続的に攪拌するにあたり、ベースマシンに取付けたフレームの上部の駆動輪と下部の従動輪との間で攪拌羽根を有するエンドレスチェーンを巻き掛けた地盤攪拌機を用い、前記チェーンを周回駆動させつつ前記フレームを地盤内で深さと長さ方向に移動させて前記地盤を攪拌することを特徴としている。
【００２２】
また、請求項１０記載の地盤攪拌機は、請求項２から７のいずれか、または請求項９に記載の遮水壁の構築方法において地盤の攪拌に用いる地盤攪拌機であって、ベースマシンと、ベースマシンの可動アームに取り付けたフレームとからなり、前記フレームはその上部に駆動輪と下部に従動輪を有し、前記駆動輪と従動輪との間で攪拌羽根を有するエンドレスチェーンが周回可能に巻き掛けられていることを特徴としている。
【００２３】
このような特徴により、地盤攪拌体の造成が効率的となる。
【００２４】
また、請求項９記載の遮水構造の構築方法は、請求項２から７のいずれか記載の遮水壁の構築方法において、前記ロール状の遮水シートを地盤攪拌体内で展張するにあたり、その下端に前記ロール状の遮水シートの芯材の下端を保持する受け部材と、その上部に前記ロール状の遮水シートの芯材を着脱自在に把持する把持機構と、を有する遮水シート保持支柱からなる上下動可能な遮水シート保持装置を用い、前記ロール状の遮水シートの芯材あるいは筒材を前記保持装置に保持して前記地盤攪拌体内に挿入することを特徴としている。
【００２５】
また、請求項１１記載の遮水シート保持装置は、請求項２から８のいずれか記載の遮水壁の構築方法において遮水シートを地盤攪拌体内に挿入して展張するときに用いる遮水シート保持装置であって、前記遮水シート保持装置は、ベースマシンに立設したマスト部に上下動可能に取付けられた遮水シート保持支柱と、前記遮水シート保持支柱の下端に前記ロール状の遮水シートの芯材あるいは筒材の下端を保持する受け部材と、前記ロール状の遮水シートの芯材あるいは筒材の上部を着脱自在に把持する把持機構と、からなることを特徴としている。
【００２６】
このような特徴により、遮水シートの挿入が簡便に行える。
【発明の効果】
【００２７】
本発明に係る遮水構造の構築方法によれば、地盤を攪拌して地盤攪拌体を造成するという１つの工程で、地盤攪拌体が造成されるため、工期の短縮を図ることができる。また、残土発生量を抑えることができ、コストの低減を図ることができる。さらに、ロール状に巻かれた遮水シートを地盤攪拌体内で展張させるため、一枚当りの遮水シートの幅寸法を長くすることが可能であり、継手箇所数を低減させ、コストの低減、工期の短縮、止水性能の向上を図ることができる。
【００２８】
また、外周面が覆われるように遮水シートで包み込まれた芯材と、外周面および内周面がそれぞれ覆われるように遮水シートで包み込まれた筒材とを嵌合させて、遮水シート同士を継手することにより、筒材の内周面と芯材の外周面との間に遮水シートが介在され、遮水シートの弾力性によって密着性を向上させて止水性能を向上させることができる。
【００２９】
さらに、芯材と筒材との間の空隙に充填材を充填することで、さらに継手箇所の止水性能が一層高くなり、より信頼度の高い遮水壁を構築することができる。
【００３０】
また、本発明に係る地盤攪拌機によれば、地盤攪拌体の造成が効率的にできるため、工期短縮を図ることができる。
【００３１】
また、本発明に係る遮水シート保持装置によれば、遮水シートの挿入や展張が簡便に行えるため、作業性を向上させることができる。
【発明を実施するための最良の形態】
【００３２】
以下、本発明に係る遮水壁の構築方法、地盤攪拌機及び遮水シート保持装置の実施の形態について、図面に基いて説明する。
【００３３】
まず、地盤Ｇ内に構築される遮水壁１の構成について説明する。
【００３４】
図１は遮水壁１を表す平面図であり、特に遮水シートの継手箇所を表している。図１に示すように、遮水壁１は、地盤Ｇに鉛直に造成された地盤攪拌体２と、地盤攪拌体２内に鉛直に連設された複数の遮水シート３とから構成されている。
【００３５】
地盤攪拌体２は、地盤Ｇに水やベントナイト、フライアッシュ等の添加材を加えて攪拌したものであり、攪拌当初には流動性を有するものである。添加材としては、セメント等の固化材も含まれるが、これらの固化材を加えれば、遮水シート展張後に時間の経過とともに地盤攪拌体が流動性を失って固化するので、展張した遮水シートが早期に安定する。なお、地下水が高い地盤の場合は、これらの添加材を加えないで攪拌するだけで流動性を有することがあり、この場合は添加材を加えないこともある。また、地下水が低い地盤の場合は、固化材を加えなくても、脱水によって流動性を失い固化状態となることもあり、この場合は固化材を加えないこともある。
【００３６】
遮水シート３は、例えばフレキシブルポリマーアロイ製のシート等であり、高い水密性を有するとともに、弾力性を有する柔らかな材質のものからなり、さらに、設置する際に破損しない程度の強度及び厚さを有するものである。遮水シート３の一方の側端部には、丸管状の芯材４が付設されており、他方の側端部には、軸方向に延在するスリット５ａが形成された断面視形状Ｃ形の筒材５が設けられている。隣り合う遮水シート３同士は、芯材４を筒材５内に緩挿させて嵌合させることで継手されている。
【００３７】
芯材４は、例えば２．５インチ径の鋼管からなり、芯材４の長さ寸法は、少なくとも遮水シート３の縦寸法（高さ寸法）よりも長く、芯材４の上下端は遮水シート３の上下端からそれぞれ突出している。芯材４は、円筒形状に折り返された遮水シート３の側端部の中に挿装されて取り付けられており、遮水シート３側端部によって芯材４外周面が覆われるように包み込まれている。なお、芯材４と遮水シート３側端部との付設は、芯材４の外周面に軸方向に延在するようにプレートを溶接等で取付け、そのプレートに遮水シートを接着等で取付けるようにしてもよい。そして、遮水シート３は、この芯材４に巻回される。
【００３８】
筒材５は、芯材４の径よりも大きい内径のものであり、例えば５．０インチ径の鋼管からなる。筒材５の長さ寸法は、遮水シート３の縦寸法と同じ、或いは遮水シート３の縦寸法より長くなっており、軸方向に延在するスリット５ａは全長に亘って形成されている。スリット５ａの幅寸法は、芯材４の外径よりも狭く、筒材５内に緩挿された芯材４に水平方向の力が作用しても、スリット５ａで引っ掛かり、筒材５内から抜け出ることがない構成となっている。また、筒材５は、断面形状Ｃ形の筒状に折り返された遮水シート３の側端部の中に挿装されており、遮水シート３側端部によって筒材５の外周面および内周面がそれぞれ覆われるように包み込まれている。なお、筒材５と遮水シート３の他方の側端部との取付けは、筒材５のスリット５ａとは反対側の外周面に軸方向に延在するようにプレートを溶接等で取付け、そのプレートに遮水シートを接着等で取付けるようにしてもよい。
【００３９】
また、丸管状の芯材４の中には、芯材４を所定位置に固定する丸棒状の固定部材（固定アンカー４８）が挿通されており、この固定アンカー４８は、地盤攪拌体２の底面に突き刺されて立設されている。また、遮水シート３で覆われた芯材４の外周面と遮水シート３で覆われた筒材５の内周面との間の空隙には、例えばモルタル等からなる充填材７が充填されている。
【００４０】
次に、上記した構成からなる遮水壁１を構築する際に使用する設備について説明する。
【００４１】
図２は地盤攪拌体２を造成する際の施工システムと施工機械を表す図である。図２に示すように、地盤攪拌体２を造成する際は、セメントミルク等の液状の添加材を製造する添加材製造手段１０と、製造された添加材を所定量だけ地盤攪拌体２内に送る添加材流入手段１１と、地盤Ｇと添加材とを攪拌混合する地盤攪拌機１２と、残土の搬出を行うバックホウ等の掘削機１３とが使用される。
【００４２】
添加材製造手段１０は、サイロ１４，スラリープラント１５，水槽１６及び発電機１７から構成されており、添加材製造手段１０によって、液状の添加材が製造されるとともに製造された添加材が添加材流入手段１１に送られる。添加材流入手段１１はグラウトポンプ１８，流量計１９及び空気圧縮機２０から構成されており、添加材流入手段１１によって、添加材は地盤攪拌機１２が攪拌している地盤Ｇ内に圧送される。なお、この添加材製造手段１０は、セメント等の固化材に替えてベントナイト等の添加材をスラリー状にするのにも用いられる。
【００４３】
地盤攪拌機１２は、図３に示すように、ベースマシン５１に可動アーム５０が備えられ、この可動アーム５０にフレーム５２が取付けられている。このフレーム５２は、上部には油圧モータ等の原動機に連結された駆動輪５３と、下部には従動輪５４を有し、この駆動輪５３と従動輪５４との間にエンドレスチェーン５５が巻き掛けられ、エンドレスチェーン５５は駆動輪５３の駆動回転によって駆動輪５３と従動輪５４との間を周回するようになっている。またエンドレスチェーン５５は、その全周方向外側に一定間隔で攪拌羽根５６を有している。この攪拌羽根５６の周回によって、地盤Ｇが攪拌され、添加材や固化材を添加すれば、地盤Ｇが添加材や固化材とともに攪拌混合され、セメントであれば地盤攪拌体２はソイルセメントとなる。
【００４４】
図４は、地盤攪拌体２内に挿入する際の遮水シート３と、この遮水シート３を保持する遮水シート保持装置２１を表す図であり、この図の場合の保持装置はカートリッジ式になっている。図４に示すように、図２に示す地盤攪拌体２内に挿入する際、遮水シート３は、芯材４にロール状に巻き付けられており、遮水シート３のロール部分３´は、遮水シート保持装置２１内に収納されている。また、遮水シート３の他方の側端部に設けられた筒材５の中には、軸方向に延在するスリット２６ａが形成された断面視形状Ｃ形の円筒形部材（保護部材２６）が挿装されている。保護部材２６は、嵌合時の摩擦を低減させるとともに、筒材５との間で筒材５を包み込む遮水シート３を挟み込み、当該遮水シート３が筒材５内周面に沿って湾曲状に折り曲げた状態を維持させるものである。保護部材２６は、筒材５に対して差し抜き自在に緩挿されており、保護部材２６の径は、筒材５の内径よりも若干小さく、例えば５インチの筒材５に対して保護部材２６は４インチのものが使用される。
【００４５】
遮水シート保持装置２１は、芯材４及び遮水シート３のロール部分３´がそれぞれ収納される本体部（カートリッジ）２２と、本体部２２の上端部に被せられる蓋部２３とから構成されている。
【００４６】
本体部２２は、遮水シート３のロール部分３´を完全に収納することができる程度の大きさの円筒形部材であり、上端が開放されているとともに下端が閉じられている。本体部２２の底部には芯材４の下端部に挿嵌される突起部２４が突設されている。また、本体部２２の周壁には、軸方向に延在するスリット２２ａが形成されている。このスリット２２ａは、本体部２２の全長に亘って形成されており、芯材４の外径寸法よりも大きい幅で形成されている。
【００４７】
蓋部２３は、本体部２２の上端部に嵌合される部材である。蓋部２３には、側面から中央にかけて芯材４が挿通されるスリット２３ａが形成されている。このスリット２３ａは、本体部２２のスリット２２ａと対応する位置に形成されており、芯材４よりも若干大きい幅で形成されている。また、蓋部２３の上端面には、芯材４を固定する掛け金２５が付設されている。この掛け金２５は、スリット２３ａ内に挿通された芯材４を係止する位置から係止しない位置まで回転可能である。
【００４８】
次に、上記した遮水シート保持装置２１とは別の遮水シート保持装置の実施形態について説明する。図５は別の実施形態における遮水シート保持装置２１´を表す平面図であり、図６は別の実施形態における遮水シート保持装置２１´を表す側面図である。
図５，図６に示すように、この場合の遮水シート保持装置２１´は、前述の遮水シート保持装置２１で、本体部２２がカートリッジになっていたところを保持支柱６０に替えたものである。遮水シート保持装置２１´は、保持支柱６０の上端に設けたブラケット６１が後述する施工重機３０のマスト部３４のガイドレール６２に摺動可能となっており、後述する施工重機３０のワイヤー４１に吊り下げられてマスト部３４に沿って上下動可能とされている。この保持支柱６０は、下端にブラケット式の遮水シート受け部材６３を設けており、この受け部材６３の上面に設けた突起６３ａに円筒状の芯材４の孔が嵌合し、芯材４の下端が回転自在に保持される。
【００４９】
図７は保持支柱６０の上部を表す拡大側面図である。図５，図６，図７に示すように、保持支柱６０の上部には、芯材４の上端部に継手された芯材延長部材６４を着脱自在に把持する把持機構６５を設けている。芯材延長部材６４は、その下端に遮水シートが巻回された芯材４の上端に回転拘束状態で嵌合する嵌合凹部６４ａを、上部には回転自在なベアリング部６４ｂを有している。なお、芯材４は芯材延長部材６４を一体にしたものでもよい。
【００５０】
図８は把持機構６５の上部を表す平面図であり、図９は把持機構６５の下部を表す平面図である。図７，図８，図９に示すように、把持機構６５は、芯材延長部材６４のベアリング部６４ｂを把持する上部把持機構６６と、芯材延長部材６４を直接把持する下部把持機構６７とからなっており、上部把持機構６６で芯材延長部材６４のベアリング部６４ｂを把持している時には芯材４は回転自在に保持され、下部把持機構６７で芯材延長部材６４を把持している時には芯材４は回転拘束状態(回転しない)で保持される。上部把持機構６６は、保持支柱６０から張り出して取付けられた２枚の受けアーム（把持部材）６８と、この受けアーム６８に回転可能に軸支された押えアーム（把持部材）６９と、押えアーム６９の端部にその一端が取付けられ、他端が保持支柱６０に取付けられた伸縮ジャッキ（伸縮機構）７０とからなっている。
【００５１】
２枚の受けアーム６８は、間隔をあけて２枚平行に配置されており、２枚の受けアーム６８の間に押えアーム６９は配置されている。押えアーム６９は、Ｌ字型形状をしており、一方の辺に相当するところは直線状で、他方の辺に相当する押え部６９ａはベアリング部６４ｂの円弧形状に合わせて内方に曲がる円弧形状とされ、中間の屈曲部６９ｂにおいて、受けアーム６８の基端部付近で受けアーム６８に対し回転可能に軸支されている。なお、受けアーム６８は、ベアリング部６４ｂを把持する受け部６８ａが、ベアリング部６４ｂの円弧形状に合わせて円弧形状とされている。そして、芯材延長部材６４の保持支柱６０からの着脱については、芯材延長部材６４のベアリング部６４ｂを把持する時(着)には、押えアーム６９の直線状の辺の端部に取付けられた伸縮ジャッキ７０のロッド部７０ａをシリンダー部７０ｂ内に縮退させて押え部６９ａと受け部６８ａでベアリング部６４ｂを挟んで把持し、開放する時(脱)には、ロッド部７０ａをシリンダー部７０ｂから伸長させることで、芯材延長部材６４のベアリング部６４ｂの把持を開放する。
下部把持機構６７については、押え部６９ａ、受け部６８ａの円弧形状が芯材延長部材６４の径に合わせた大きさにしてあるだけで、上部把持機構６６と基本的にその構成は同じである。
【００５２】
図１０，図１１は、遮水シート３を地盤攪拌体２内に設置する際の施工システムと施工機械を表す図である。図４，図１０，図１１に示すように、遮水シート３は芯材４にロール状に巻回され、ロール状の遮水シート３は遮水シート保持装置２１に装填され、遮水シート保持装置２１に装填された遮水シート３は、施工重機３０によって遮水シート保持装置２１ごと地盤攪拌体２内に挿入され、地盤攪拌体２内で展張させられる。
【００５３】
図１０，図１１に示すように、施工重機３０は、遮水シート保持装置２１の下端部にワイヤー４５を介して水平方向に引張力を与えることにより、遮水シート保持装置２１の鉛直性を制御しながら遮水シート３を展開する機械である。施工重機３０は、例えば、ベースマシン３３と、略鉛直に立設されたマスト部３４と、遮水シート保持装置２１を把持してマスト部３４に沿って上下動する把持部３５と、把持部３５を上下動させる移動機構３６と、遮水シート保持装置２１を略鉛直状態に保持する保持機構３７とが備えられている。移動機構３６は、マスト部３４の上下端部にそれぞれ付設された上下動用滑車（シーブ）３８と、ベースマシン３３に搭載された上下動用巻上機（ウインチ）３９と、一端が把持部３５に接続されて、上下動用のシーブ３８に巻回されるとともに上下動用のウインチ３９によって巻き上げられる上下動用のワイヤー４１とから構成されている。また、保持機構３７は、遮水シート３の展開方向における先方の地盤攪拌体２内に立設された棒状のワイヤー固定アンカー４２と、遮水シート保持装置２１の下端部およびマスト部３４の上下端部にそれぞれ付設された引張用滑車（シーブ）４３と、ベースマシン３３に搭載された引張用巻上機（ウインチ）４４と、一端がワイヤー固定アンカー４２に固定されて、引張用のシーブ４３に巻回されるとともに引張用のウインチ４４によって巻き上げられる引張用のワイヤー４５とから構成されている。また、ワイヤー固定アンカー４２はアンカー留め４５によって固定されている。なお、図１２に示すように、別の実施形態の遮水シート保持装置２１´を用いるときは、本実施形態の把持部３５がなくなり、保持支柱６０の上端が直接ワイヤー４１に接続されることになり、保持支柱６０の下端には、本発明の遮水シート保持装置２１の本体部２２に設けられた引張用滑車４３が同様に設けられている。その他の構成については同じである。
【００５４】
次に、上記した構成からなる設備を使用して遮水壁１を構築する施工手順について説明する。なお、図１３は遮水壁１を構築する際の施工手順を表したフローチャート図である。
【００５５】
図１３に示すように、まず、所要の機械を現場に搬入して組み立てる機械搬入・組立工程を行う。具体的には、図２に示すように、添加材製造手段１０を構成する機材や、添加材流入手段１１を構成する機材、分解された状態の地盤攪拌機１２、掘削機１３をそれぞれ現場に搬入し、これらの機材等を組み立てて、地盤攪拌体２を造成する際の施工システムをつくる。また、図４，図１０，図１１に示すように、遮水シート保持装置２１を現場に搬入するとともに、施工重機３０を分解した状態で搬入し、現場で組み立てる。さらに、図４に示すように、複数の遮水シート３や芯材４，筒材５等の材料をそれぞれ搬入し、遮水シート３の側端部に芯材４や筒材５を設けるとともに、遮水シート３を芯材４にロール状に巻き付けておく。また、最初に設置される一枚目の遮水シート３については、一方の側端部に芯材４を設け、他方の側端部に筒材５に替えて丸管状の始点部材２７を設ける。
【００５６】
次に、施工ヤードの造成を行う施工ヤード造成工程を行う。具体的には、掘削機１３で地盤攪拌機１２や施工重機３０が据置・走行する範囲の整地を行うとともに鉄板等を敷設する。
【００５７】
次に、地盤Ｇを所定深さ(遮水壁を設けようとする深さである)で所定長さ(遮水壁を設けようとする長さである)連続的に攪拌し、地盤中に面的な広がりを有する面状の地盤攪拌体２を造成する工程を行う。ここで地盤攪拌体２の幅は、小さいのに越したことはないが、ロール状の遮水シートを挿入する関係からここでは６０ｃｍ程度に設定している。また、攪拌にあたっては、攪拌のみの場合、水やベントナイト、フライアッシュ、固化材としてのセメント等の添加材を混入して攪拌混合する場合がある。
【００５８】
以下添加材を添加する場合の攪拌混合について説明する。具体的には、図２、図１３に示すように添加材製造手段１０によって所定配合の添加材(必要に応じ固化材を混入してもよい)を製造する。そして、製造された添加材を添加材流入手段１１によって地盤Ｇに混入させつつ、地盤攪拌機１２のエンドレスチェーン５５を周回させることで攪拌羽根５６を周回させて、地盤Ｇとともに攪拌混合する。このとき、エンドレスチェーン５５が巻き掛けられたフレーム５２を上下および横方向、即ち深さと長さ方向に移動させることで、所定の深さ、所定の長さで連続する面状で流動状の地盤攪拌体２を造成する。また、このとき、遮水シート３の挿入・展張の作業性を考慮しつつ、地盤攪拌体２の遮水性能を適正に確保するべく、攪拌体のフロー値が所定値になるように流量計１９で混入させる添加材の注入量を調整する。具体的には、遮水シート３の挿入・展張の作業性を考慮するとともに、最低限の遮水性能（透水係数１０−５ｃｍ／ｓｅｃ）を確保するために、攪拌体のテーブルフロー値（ＪＩＳ  Ｒ５２０１−１９８１「セメントの物理試験方法」による計測値）が１３０ｍｍ以上２５０ｍｍ以下になるように、添加材の注入量を調整し、好ましくはテーブルフロー値が１５０ｍｍ程度になるように調整する。
【００５９】
次に、地盤攪拌体２の始点側端部に、遮水シート３の始点側の側端部を固定するための端部固定アンカー４６を打設するアンカー打設工程を行う。具体的には、図１０，図１１，図１３に示すように、地盤攪拌体２の始点側端部に、先端が尖った丸棒状の端部固定アンカー４６を打ち込む。このとき、シート展開時に引き抜けないように、端部固定アンカー４６の下端部を地盤Ｇ底に十分に根入れさせるとともに、地表面に打ち込まれたアンカー留め４７で控えをとる。
【００６０】
また、一枚目の遮水シート３を遮水シート保持装置２１に装填する遮水シート装填工程を行う。具体的には、図４，図１３に示すように、一枚目の遮水シート３の側端部に付設された始点部材２７を外に出した状態で、遮水シート３のロール部分３´を遮水シート保持装置２１の内に装填する。このとき、遮水シート３が巻き付けられる芯材４の下端部を、遮水シート保持装置２１の本体部２２底面に突設された突起部２４に嵌合させるとともに、芯材４の上端部を、蓋部２３上端面に形成されたスリット２３ａに貫通させ、掛け金２５で固定する。
【００６１】
次に、流動状の地盤攪拌体２が固化する前に、この地盤攪拌体２内に、ロール状に巻かれた一枚目の遮水シート３を挿入する遮水シート挿入工程を行う。具体的には、図１０，図１１，図１３に示すように、一枚目の遮水シート３が装填された遮水シート保持装置２１を施工重機３０の把持部３５で把持し、移動機構３６によって把持部３５を下側に移動させ、遮水シート保持装置２１をゆっくりと地盤攪拌体２内に挿入する。このとき、遮水シート保持装置２１を挿入するとともに、遮水シート保持装置２１外に出された遮水シート３側端部に付設された丸管状の始点部材２７を端部固定アンカー４６に嵌合させていき、遮水シート３の先側端を固定する。
【００６２】
図１４は遮水シート３の設置工程を表した図である。
次に、ロール状の遮水シート３を地盤攪拌体２内で展張させる遮水シート展張工程を行う。具体的には、図１０，図１１，図１３，図１４（ａ）に示すように、施工重機３０を地盤攪拌体２に沿って移動させることで、遮水シート３のロール部分３´を遮水シート保持装置２１ごと地盤攪拌体２に沿ってスライドさせ、遮水シート３のロール部分３´を軸回転させて遮水シート保持装置２１内から遮水シート３を引き出し、地盤攪拌体２内に遮水シート３を展張させる。
【００６３】
次に、遮水シート保持装置２１から芯材４を外し、地盤攪拌体２内に芯材４を残したまま遮水シート保持装置２１を引上げて洗浄する遮水シート保持装置引上・洗浄工程を行う。具体的には、図４，図１４（ｂ）に示すように、１ロール分の遮水シート３が展張し終えた後、掛け金２５を外すとともに、遮水シート保持装置２１内の芯材４を若干持ち上げて突起部２４から抜き取る。そして、遮水シート保持装置２１を側方にスライドさせて、芯材４をスリット２２ａ，２３ａのところで通過させて遮水シート保持装置２１を芯材４から外す。そして、芯材４から外された遮水シート保持装置２１は、移動機構３６によって把持部３５を上側に移動させることで、地盤攪拌体２内から引き上げ、清水で付着した流動体を洗い流して洗浄する。
また、遮水シート保持装置２１を取り外した後、先端が尖った丸棒状の固定アンカー４８を、芯材４の中に挿通させるとともに地盤攪拌体２の底面に打ち込み、遮水シート３の後側端を固定する。
【００６４】
次いで、二枚目の遮水シート３を遮水シート保持装置２１内に装填する遮水シート装填工程を行う。具体的には、図４，図１３に示すように、一枚目の遮水シート３のときと同様にして、二枚目の遮水シート３を遮水シート保持装置２１の本体部２２内に挿入して蓋部２３で蓋をする。なお、二枚目の遮水シート３には、遮水シート保持装置２１外に出された遮水シート３側端部に筒材５が付設されたものを使用し、また、この筒材５内に保護部材２６を挿装させておく。
【００６５】
次に、二枚目の遮水シート３が収納された遮水シート保持装置２１を、地盤攪拌体２内に挿入するとともに、地盤攪拌体２内に先行して展張された遮水シート３Ａの芯材４と、地盤攪拌体２内に後行して挿入される遮水シート３Ｂの筒材５とを嵌合させ、先行して展張された遮水シート３Ａと後行して挿入された遮水シート３Ｂとを継手する遮水シート挿入・継手工程を行う。具体的には、図１０，図１１，図１３，図１４（ｃ）に示すように、一枚目の遮水シート３のときと同様にして、遮水シート保持装置２１をゆっくりと地盤攪拌体２内に挿入する。このとき、二枚目の遮水シート３Ｂの筒材５内に挿装されたＣ形管状の保護部材２６の中に一枚目の遮水シート３Ａの芯材４が挿嵌されるように、二枚目の遮水シート３Ｂの筒材５内に挿装されたＣ形管状の保護部材２６を一枚目の遮水シート３Ａの芯材４に被せるように嵌めていく。そして、遮水シート保持装置２１が完全に挿入されて継手が完了した後、保護部材２６を引き抜く。
【００６６】
次に、継手箇所における芯材４と筒材５との間の空隙に充填材７を充填する充填材充填工程を行う。具体的には、図１０，図１１，図１３，図１４（ｄ）に示すように、まず、施工重機３０によって遮水シート保持装置２１を二枚目の遮水シート３Ｂの展張方向に若干移動させ、二枚目の遮水シート３Ｂを展張方向に引っ張り、二枚目の遮水シート３Ｂに付設された筒材５の内周面を一枚目の遮水シート３Ａに付設された芯材４の外周面に当接させて筒材５のスリット５ａを芯材４で塞ぐ。その後、一枚目の遮水シート３Ａに付設された芯材４を包み込む遮水シート３Ａと、二枚目の遮水シート３Ｂに付設された筒材５を包み込む遮水シート３Ｂとの間、或いは筒材５を包み込む遮水シート３Ｂの内部で筒材５との隙間を塞ぐように、図示せぬ充填器によって充填材７を充填する。
【００６７】
次に、ロール状の二枚目の遮水シート３を地盤攪拌体２内で展張させる遮水シート展張工程を行う。具体的には、図１０，図１１，図１３，図１４（ｅ）に示すように、一枚目の遮水シート３のときと同様にして、施工重機３０によって遮水シート３のロール部分３´を遮水シート保持装置２１ごと地盤攪拌体２に沿ってスライドさせ、遮水シート保持装置２１内から遮水シート３を引き出し、地盤攪拌体２内に二枚目の遮水シート３を展張させる。
【００６８】
次に、上述した遮水シート保持装置引上・洗浄工程を再び行い、三枚目の遮水シート３を遮水シート保持装置２１に装填する。以降の工程は、上記した工程の繰り返しとなり、複数の遮水シート３を継手しつつ展張していく。
【００６９】
ところで、地盤攪拌体２の造成後、別の形態の遮水シート保持装置２１´を用いた場合の遮水シートの展張方法であるが、以下に説明する。
図５，図６，図７，図８，図９，図１２に示すように、一枚目の遮水シート３を保持装置２１´に装填する工程であるが、まず、遮水シート３が巻回されている芯材４の上端に芯材延長部材６４の嵌合凹部６４ａを嵌合させて芯材延長部材６４を芯材４に取付ける。このとき、図示しないピン等で芯材４と芯材延長部材６４が外れないようにしておく。次に、一枚目のロール状の遮水シート３を芯材延長部材６４の上端に設けられた図示しない係合部を利用して別途のクレーン等により、他方の側端部（先端側）に付設された始点部材２７を外に出した状態で吊り上げる。そして遮水シート３の芯材４の下端を保持支柱６０下端部の受け部材６３の突起６３ａに係合させ、芯材延長部材６４のベアリング部６４ｂを保持支柱６０上部に設けた上部把持機構６６で把持する。このときに下部把持機構６７でも芯材延長部材６４を把持してもよい。
【００７０】
そして、すでに造成された流動状の地盤攪拌体２中に遮水シート３を挿入するには、予め地盤攪拌体２の底部の地盤Ｇ中に打込まれた端部固定アンカー４６に、遮水シート３の他方の側端部（先端側）に設けた丸管状の始点部材２７を外嵌させつつ、遮水シート３が保持された保持支柱をゆっくりと地盤攪拌体２内に挿入する。挿入し終わったら、端部固定アンカー４６の上部は地表面に打込まれたアンカー留め４７で控えをとる。
ロール状の遮水シート３の展張については、先の実施形態（保持装置２１を用いた場合の実施形態）での展張方法と同様であり、ベースマシン３３を走行させることで、保持支柱６０を地盤攪拌体２内で始点部材２７から離れる方向に鉛直を保ってスライドさせ、ロール状の遮水シート３を巻き戻しつつ展張する。
１枚目が展張し終わったら、遮水シート３の芯材延長部材６４を別途のクレーンで吊るとともに、把持機構６５を開放させて、芯材４を保持支柱６０から離脱させる。そして保持支柱６０はそのまま引き上げ、遮水シート３は地盤攪拌体２中に残置される。そして芯材延長部材６４を芯材４から分離させ、芯材４の中央の孔内に固定アンカー４８を挿通させ、その先端を地盤Ｇ中に打込んで、遮水シート３の一方の側端部（後端側）を固定する。
【００７１】
次いで、二枚目の遮水シート３の展張に取り掛かる。１枚目の遮水シート３が、その他方の側端部（先端側）を始点部材２７としていたのに対し、二枚目の遮水シート３は、始点部材２７に替えてスリットが形成されたＣ字状の筒材５が付設され、筒材５の内部には、上述した先の実施の形態と同様の保護部材２６が挿嵌されている。
二枚目の遮水シート３の保持支柱６０への保持は、別の実施形態での１枚目の遮水シート３の保持支柱６０への保持方法において始点部材２７を筒材５に読み替えるだけでよい。
二枚目の遮水シート３の流動状の地盤攪拌体２内への挿入は、先行施工されて地盤Ｇに固定されている１枚目の遮水シート３の芯材４に、後行施工の二枚目の遮水シート３の他方の側端部に設けられた筒材５とともに保護部材２６を外嵌させつつ、遮水シート３が保持された保持支柱６０をゆっくりと地盤攪拌体２内に挿入する。挿入し終わったら、保護部材２６を筒材５から引き抜く。二枚目のロール状の遮水シート３の展張については、一枚目と同様である。
一枚目と二枚目の遮水シート３，３の芯材４と筒材５とからなる継手部の充填材による充填については、その施工時期は任意であり、先の実施形態と同様な方法で行う。
【００７２】
上記した構成からなる遮水構造の構築方法によれば、地盤Ｇを攪拌しつつ添加材を混入し、流動体状の地盤攪拌体２を造成する攪拌混合工程と、地盤攪拌体２が固化する前に、地盤攪拌体２内にロール状に巻かれた遮水シート３を挿入する遮水シート挿入工程と、ロール状の遮水シート３を地盤攪拌体２内で展張させる遮水シート展張工程とが備えられ、流動体状の地盤攪拌体２は１つの工程で造成されるため、工期の短縮を図ることができる。
【００７３】
また、地盤攪拌体２の造成は、現位置で地盤を攪拌するので、残土発生量を低減させることができ、コストの低減を図ることができる。さらに、ロール状に巻かれた遮水シート３を地盤攪拌体２内で展張させるため、一枚当りの遮水シート３の幅寸法を長くすることが可能であり、継手箇所数を低減させ、コストの低減、工期の短縮、止水性能の向上を図ることができる。
【００７４】
また、芯材４は、遮水シート３側端部によって外周面が覆われるように包み込まれ、筒材５は、遮水シート３側端部によって外周面および内周面がそれぞれ覆われるように包み込まれている。そして、遮水シート挿入工程のとき、地盤攪拌体２内に先行して展張された遮水シート３Ａの芯材４と、地盤攪拌体２内に後行して挿入された遮水シート３Ｂの筒材５とを嵌合させることで、先行して展張された遮水シート３Ａと後行して挿入された遮水シート３Ｂとを継手するため、筒材５の内周面と芯材４の外周面とは、芯材４や筒材５を包み込む遮水シート３Ａ，３Ｂを介して全長に亘って当接し、遮水シート３Ａ，３Ｂの弾力性によって芯材４と筒材５の密着性が向上する。これによって、継手箇所の止水性能を向上させることができる。
【００７５】
また、芯材４と筒材５との間の空隙に充填材７を充填する充填材充填工程を備えるため、芯材４と筒材５とで構成された継手箇所の止水性能は更に向上し、より信頼度の高い遮水壁１を構築することができる。
【００７６】
また、上記した構成からなる地盤攪拌機１２によれば、地盤攪拌体２の造成が効率的にできるため、工期短縮を図ることができる。
さらに、上記した構成からなる遮水シート保持装置２１´によれば、遮水シート３の挿入が簡便に行えるため、作業性を向上させることができる。
【００７７】
以上、本発明に係る遮水構造の構築方法の実施の形態について説明したが、本発明は上記した実施の形態に限定されるものではなく、その趣旨を逸脱しない範囲で適宜変更可能である。例えば、上記した実施の形態では、地盤Ｇに鉛直の地盤攪拌体２を形成し、この地盤攪拌体２内に遮水シート３を鉛直に挿入する場合について説明しているが、本発明は、傾斜した地盤攪拌体を形成し、この地盤攪拌体内に遮水シートを斜めに挿入し、地盤Ｇ内に傾斜した遮水壁を構築してもよい。
【００７８】
また、上記した実施の形態では、ほぐされた土の中に液状の添加材を混入して攪拌することで、流動体状の地盤攪拌体２を造成しているが、本発明は、ほぐされた土の中に、セメント等の固化材と水とをそれぞれ混入させて攪拌することで流動体状の地盤攪拌体２を造成してもよい。
【００７９】
また、上記した実施の形態では、先行する遮水シート３Ａの後側の側端部に芯材が設けられ、後行する遮水シート３Ｂの先側の側端部に筒材５が設けられ、芯材の周り遮水シートが巻回されていてロール状とされているが、先行する遮水シートの後側の側端部に筒材が設けられ、後行する遮水シートの先側の側端部に芯材が設けられていて、筒材の周りに遮水シートが巻回されてロール状になっていてもよい。このような場合であっても、遮水シート継手部において芯材に筒材を外嵌させるところが、筒材に芯材を内嵌させるようにするところが変わり、また芯材延長部材を用いるところが、若干その径を大きくして筒材延長部材（筒材延長部材と一体となった筒材でもよい。）を用いることに変わり、突起部２４，６３ａが筒材に内嵌し、把持機構６５は筒材延長部材と把持することになる他は、基本的に遮水シートの展張方法において変わるところはない。
【図面の簡単な説明】
【００８０】
【図１】本発明の実施の形態における遮水壁を表す図である。
【図２】本発明の実施の形態における地盤攪拌体を造成する施工システムを表す図である。
【図３】本発明の実施の形態における地盤攪拌機を表す図である。
【図４】本発明の実施の形態におけるロール状に巻かれた遮水シートを表す図である。
【図５】本発明の別の実施の形態における遮水シート保持装置を表す平面図である。
【図６】本発明の別の実施の形態における遮水シート保持装置を表す側面図である。
【図７】本発明の別の実施の形態における遮水シート保持装置を表す側面図である。
【図８】本発明の別の実施の形態における遮水シート保持装置を表す平面図である。
【図９】本発明の別の実施の形態における遮水シート保持装置を表す平面図である。
【図１０】本発明の実施の形態における遮水シートを設置する施工システムを表す図である。
【図１１】本発明の実施の形態における遮水シートを設置する施工システムを表す図である。
【図１２】本発明の別の実施の形態における遮水シートを設置する施工システムを表す図である。
【図１３】本発明の実施の形態における遮水シートの施工手順を表すフローチャート図である。
【図１４】本発明の実施の形態における遮水シートの施工手順を表す図である。
【符号の説明】
【００８１】
１  遮水壁
２  地盤攪拌体
３  遮水シート
４  芯材
５  筒材
５ａ  スリット
７  充填材
１２  地盤攪拌機
２１  遮水シート保持装置
３４  マスト部
５０  可動アーム
５１  ベースマシン
５２  フレーム
５３  駆動輪
５４  従動輪
５５  エンドレスチェーン
５６  攪拌羽根
６０  保持支柱
６３  受け部材
６４  芯材延長部材
６５  把持機構
Ｇ  地盤
【図１】
2006283474.tif 000003
【図２】
2006283474.tif 000004
【図３】
2006283474.tif 000005
【図４】
2006283474.tif 000006
【図５】
2006283474.tif 000007
【図６】
2006283474.tif 000008
【図７】
2006283474.tif 000009
【図８】
2006283474.tif 000010
【図９】
2006283474.tif 000011
【図１０】
2006283474.tif 000012
【図１１】
2006283474.tif 000013
【図１２】
2006283474.tif 000014
【図１３】
2006283474.tif 000015
【図１４】
2006283474.tif 000016